(57)【特許請求の範囲】
【請求項１】
水田の排水口に設置して水位を調整する為の水位調整装置において、底版部と両側版部、それに排水穴を設けた背版部を有して正面側と上方を開口した排水枡を上記排水口に設け、該排水枡の両側版部の内側面には上下方向に延びるガイド溝を形成し、このガイド溝には下部板と水位調整板を一部が重なり合うように取付け、該下部板の下端は排水枡の底版部に通常は接し、水位調整板は底版部から所定の高さに固定し、そして水位調整板には概略三角形又は概略三日月形などで上側ほど面積が小さくなる開口を形成したことを特徴とする水田の水位調整装置。
【請求項２】
上記ガイド溝にガイドレールを嵌め、ガイドレールに設けた仕切り片にて仕切られた溝に上記下部板と水位調整板を嵌めた請求項１記載の水田の水位調整装置。
【請求項３】
上記下部板の両側端部をＵ字状に湾曲すると共に、湾曲部をガイド溝に嵌め、そしてＵ字状の湾曲溝に水位調整板を嵌めた請求項１記載の水田の水位調整装置。
【発明の詳細な説明】
【技術分野】
【０００１】
本発明は、豪雨の際には水田に一定量の雨水を貯めて水害を防止することが出来るように、水田の貯水量を調整する装置に関するものである。
【背景技術】
【０００２】
近年においては地球温暖化の影響により、ゲリラ的な集中豪雨が増えており、この短時間に集中的に降る雨による洪水の被害が頻発している。昔から、洪水対策としてはダムの建設や河川の改修、調整池の設置などが行われてきているが、これら従来からの対策では巨額な費用や時間がかかり早急に対応することは難しい。
【０００３】
このような集中豪雨の際の対策として、水田を利用した「田んぼダム」が提案されている。水田の面積は非常に大きく、この広い水田に一時的に降った雨水を溜めることで河川への流出を抑え、河川の氾濫を防止することが出来る。すなわち、豪雨時に水田に雨水を一時的に貯留させることで、河川への雨水の流出量を抑制し、下流域の住宅地や耕地の浸水被害を緩和することが出来る。
【０００４】
勿論、水田には排水口と成る位置に排水枡が設置され、該排水枡には主に木製の水位調整板を取付け、該水位調整板の高さを変えることで排水量の調整を行っている。すなわち、降った雨は水位調整板を越えて排水管から排水路へ流れ、水田の水位を一定に保っている。そこで、降った雨が直ぐに排水路へ流れ込むことから、集中豪雨の時には、降った雨が短時間に一気に排水路から河川へと流れ込み、その結果、洪水が発生してしまう。
【０００５】
そこで、集中豪雨時に降った雨水を水田に一時的に溜めることで、排水路の氾濫、及び河川の氾濫を防止するようにした技術も色々と知られている。
例えば、特開２０１２−１２０５１０号に係る「水田用貯水量調整装置」は、豪雨時には水田に「田んぼダム」機能を働かせて自動的に一定水量を貯水して、河川への雨水の流入を抑制する。
一対の側壁の対向位置に、土留板差し戸口を設けると共に、該土留板差し戸口と垂直壁のほぼ中間位置に貯水量調整板差し戸口を設け、土留板差し戸口には、土壌面とほぼ同じ高さの土留板を垂直に差し込むとともに、土留板上に載置した時に営農水位となる高さの営農水位調整板を垂直に差し込み、前記貯水量調整板差し戸口には、上端高さを稲の生育状態に合わせた任意の高さである貯水水位とほぼ同じ高さに形成し、下部に排水量調整孔を穿設した貯水量調整板を垂直に差し込むように構成し、通常雨量の場合は、雨水を排水管を介して排水路へ排水して水田の営農水位を保持し、豪雨の場合は、貯水量調整高さに越流高さを加えた高さの最高貯水水位まで雨水を貯めることが出来る。
【０００６】
特開２０１０−２２３２４号に係る「水田用水位設定装置」は、水田を一時的に雨水を貯蔵してダム化し、河川に流れ込む雨水を抑制し、下流域の急激な水位上昇を抑えることが出来る装置である。
すなわち、水田排水部に連結する取付管に本体筒部を連結する構成とし、本体筒部を取付管に対して昇降自在若しくは本体筒部を取付管に対して昇降自在となる可動管を有する構成とし、本体筒部の上部に限界排水口部を設け、限界排水口部より下方の周面に限界排水口部より小さい周面排水口部を設け、この周面排水口部若しくは限界排水口部を上部排水口部として設けて、雨水を周面排水口部より排水して水位を保持し、雨水の増水量が周面排水口部からの排水量を超えると水位が上昇して、限界排水口部に達するまでの増水量が水田に貯水されるように構成している。
【０００７】
特開２００９−１００６８３号に係る「水田貯水装置」は、水位調整ができるとともに豪雨時には雨水により自動的に排水口を止水し、下流位置の水害被害を防止できる。すなわち、水田の排水口に設置するもので、水田排水口を堰き止める止水体と、止水体を水田側から排水路側に連通した排水管体と、雨水受け容器とを備え、排水管体の取水口は雨水受け容器に溜まった雨水の重量にて所定の高さまで上昇するようになっている。
【０００８】
これらの他にも水田の水位を調整する従来技術は色々知られている。
【特許文献１】特開２０１２−１２０５１０号に係る「水田用貯水量調整装置」
【特許文献２】特開２０１０−２２３２４号に係る「水田用水位設定装置」
【特許文献３】特開２００９−１００６８３号に係る「水田貯水装置」
【発明の開示】
【発明が解決しようとする課題】
【０００９】
このように、集中豪雨時に降った雨水を一時的に水田に溜めることで、河川の氾濫を防止する技術は色々知られている。しかし、従来の技術はその構造が比較的複雑化し、設置するにはコストも嵩むといった問題がある。また水田の水位調整のために木製の板を色々な高さで切断し組み合わせて調整している状況であり、腐食はするし調整は面倒である。
本発明が解決しようとする課題はこの問題点であり、極めて簡単な構造で、従来から設置されている排水枡を利用することが出来る水田の貯水量調整装置及び水位調整板を提供する。
【課題を解決するための手段】
【００１０】
本発明に係る水田の貯水量調整装置は水田の排水口に設置され、本体と成る排水枡に下部板と水位調整板が嵌って構成している。排水枡は底版部と両側版部、及び背版部を有して、正面側と上方は開口した形状としている。そして、背版部には排水穴を形成して、排水穴には排水路へ通じる排水管が接続される。水位調整板は上下方向にスライドして、その高さを調整出来、止めピンなどを差し込んで所定の位置で固定することが出来る。
【００１１】
両側版部にはガイド溝を設け、このガイド溝に上記下部板及び水位調整板が互いに接し合った状態で嵌っている。下部板は底版部に接して取付けられ、これに対して水位調整板は底版部から所定の高さに固定され、該水位調整板には概略三角形をした開口を形成している。ただし、三角形の具体的な形状に関しては限定しないことにし、概略三日月形開口とすることも出来る。すなわち、本発明の開口は上方の面積が小さくなる形状であればよい。そして、水位調整板の下側に配置する下部板は一枚に限らず、複数枚を上下方向に組み合わせて構成する場合もある。
【発明の効果】
【００１２】
本発明では、排水枡には下部板と水位調整板を嵌め、水位調整板は上下方向にスライドすることが出来、水位調整板の上端を所定の高さになるように固定することが出来る。すなわち、水田の貯水量の最大水面高さを水位調整板にて設定でき、集中豪雨によって、この水位を超えた場合には水位調整板を超えて排水穴から流出することが出来る。
【００１３】
一方、水位調整板を超えることがない豪雨時には、水位調整板に設けている開口から流出する。この開口から流出する水量は限定され、排水路への排水が抑制される為に、排水路が氾濫することは緩和され、河川の氾濫が抑制される。そして、水位調整板に設けている開口は概略三角形や概略三日月形を成し、下側の面積は大きいが上側の面積は小さく成る為に、豪雨によって水位が上昇するにしたがって、開口から流出する水量は抑制され、排水路及び河川の氾濫を抑制する効果は高い。
【図面の簡単な説明】
【００１４】
【図１】本発明の水位調整装置を構成する排水枡。
【図２】水位調整装置を示す実施例。
【図３】排水枡のガイド溝に取付けるガイドレール。
【図４】水位調整装置を示す他の実施例。
【図５】平常時水位、貯水時水位、越流時水位をそれぞれ表している。
【発明を実施するための形態】
【００１５】
図１は本発明の水田の貯水量調整装置を構成する排水枡１を示す実施例であり、該排水枡１はコンクリート製のブロックから成っている。同図の２は底版部、３，３は側版部、４は背版部をそれぞれ表わし、上方及び正面側は開口した形状と成っている。そして、上記側版部３，３の内側面５，５には、上下方向に一定幅の細長いガイド溝６，６を上端から底版部２にかけて設けている。また、上記背版部４には排水穴７を有し、この排水穴７には排水路へ連通する排水管（図示なし）が接続される。
【００１６】
ところで、この排水枡１は水田の排水口に設置され、水田に溜まる水の水位を調整することが出来る。その為に、排水枡１の側版部３，３に設けているガイド溝６，６には下部板と水位調整板が嵌って取付けられる。下部板は底版部２にその下端が当接して隙間が無いように取付けられ、水位調整板は所定の高さに取付けて水田の水位を調整することが出来る。勿論、下部板を少し持ち上げて底版部２との間に隙間を作り、水田に水を必要としない時期にはこの隙間から水を流すことも出来、本発明では、下部板と水位調整板の両方を使うことで水田の水位調整を図ることが出来るようにしている。
【００１７】
図２は上記排水枡１に下部板８と水位調整板９が取付けられている。ここで、側版部３，３に設けたガイド溝６，６にガイドレール１０，１０が嵌合し、このガイドレール１０，１０に形成した２本の溝に下部板８及び水位調整板９の両側端が嵌って取付けられている。下部板８はその下端が底版部２との間に隙間が無いように接している。そして、水位調整板９は所定の高さに配置され、水位調整板９の下端部と下部板８の上端部は互いに重なり合っている。
【００１８】
図３はガイドレール１０を示す具体例であり、該ガイドレール１０は底片１１の両側に側片１２，１２を起立し、そして両側片１２，１２の間に仕切り片１３を起立した形状を有している。従って、ガイドレール１０には仕切り片１３を間にして２本の溝１４，１４を設けている。
【００１９】
排水枡１の側版部３，３に形成したガイド溝６，６に下部板８と水位調整板９を直接嵌めることなく、上記図３に示したガイドレール１０，１０を介して下部板８と水位調整板９を取付けている。下部板８と水位調整板９をガイドレール１０に形成したそれぞれの溝１４，１４に嵌り、間には仕切り片１３が介在している。従って、下部板８と水位調整板９が互いに重なり合う部分には仕切り片１３に相当する僅かな隙間が形成される。
【００２０】
ところで、上記水位調整板９には三角形の開口１５が形成されている。豪雨で水田の水位が上昇するならば、水田に溜まった雨水は三角形の開口１５から流れ出し、背版部４に設けた排水穴７から排水管へ流出し、そして排水路へ流れる。水位が上がって三角形開口１５の下辺１６に達し、該下辺１６を超えるならば、雨水は開口１５から流出する。
【００２１】
該開口１５は三角形である為に、下辺１６側の面積は大きいが、下辺１６から離れるにしたがって面積は小さくなる。
例えば、四角形をした開口であるならば、下辺からの距離と面積は比例する為に、水位が上昇するならば、開口からの流出水量は比例して増加する。
しかし、本発明のような三角形の開口１５とするならば、水位が上昇しても開口１５からの流出する水量は比例して増大することはなく、その為に、豪雨時の水量流出を抑制して水田に溜めることが出来、排水路の氾濫が防止される。
【００２２】
ここで、開口１５の形状は同図に示すような二等辺三角形とする必要はなく、下辺から上方へ離れるにしたがって面積が小さくなるような形状であればよい。例えば、概略三日月形の開口とすることも可能である。
このように、本発明の水位調整装置では、水位調整板９に形成した開口１５の形状を三角形や三日月形とすることで、豪雨時に降る雨水を排水路へ直ちに流すことなく水田に貯水することが出来る。
【００２３】
図４は本発明に係る水田の水位調整装置を示す他の実施例である。基本的な形状は前記図２の水田の水位調整装置と同じであり、排水枡１の両側板部３，３に形成したガイド溝６，６に嵌って下部板８及び水位調整板９を取付けている。
前記実施例のようなガイドレールは使用していないが、下部板８の両側端部をＵ字状に湾曲し、この湾曲側端部１７，１７をガイド溝６，６に嵌合している。そして、湾曲したＵ字状の溝１８，１８に水位調整板９が上下動出来るように嵌っている。
【００２４】
ここで、水位調整板９の高さは自由に変更することが出来、この場合、下部板８と水位調整板９を繋ぐ為に所定の位置に貫通した穴にピンを差し込むことが出来る。平常時、又は稲刈りが近く成って水田に水が溜まらないようにする時期には、下部板８を少し持ち上げて底版部２との間に隙間を形成するが、例えば、下部板８の下端に石ころを流されないように置けばよい。
【００２５】
一方、激しい豪雨で水位調整板９の開口１５を超え、さらに上端１９を超えて流れ出すことが出来る。水位調整板９の高さは自由に決めることが出来るが、水田に植えられている稲に悪影響のない程度とされる。
図５は平常時水位、貯水時水位、及び越流時水位をそれぞれ表しており、本発明の水位調整装置を用いて水田の水位を調整できる。
【符号の説明】
【００２６】
１   排水枡
２   底版部
３   側版部
４   背版部
５   内側面
６   ガイド溝
７   排水穴
８   下部板
９   水位調整板
10   ガイドレール
11   底片
12   側片
13   仕切り片
14   溝
15   開口
16   下辺
17   側端部
18   溝
19   上端
【図１】
0006298725.tif 000002
【図２】
0006298725.tif 000003
【図３】
0006298725.tif 000004
【図４】
0006298725.tif 000005
【図５】
0006298725.tif 000006